(57)【要約】      （修正有）【課題】改良されたパーソナルケア機器を提供する。【解決手段】パーソナルケア機器の使用方法を提供し、１）パーソナルケア機器と、インテリジェント端末の対応するアプリケーションプログラムとの間に無線接続を構築する、２）ユーザはインテリジェント端末のアプリケーションプログラムで、実行する必要があるケアプログラムを選択する、３）ユーザがパーソナルケア機器を皮膚と接触させると、微弱電流が発生し、小顔機器の制御チップに送信される、４）パーソナルケア機器の制御チップが制御信号をデータ伝送チップに送信することにより、アプリケーションプログラムは相応するケアプログラムのケアマニュアルを開き、ユーザはマニュアルに従ってパーソナルケア機器を操作し、ケアプログラムを完了することができる。【選択図】図６
2020146432.tif 000002
【特許請求の範囲】
【請求項１】
パーソナルケア機器の使用方法であって、以下の工程：
１）前記パーソナルケア機器と、インテリジェント端末の対応するアプリケーションプログラムとの間に無線接続を構築する；
２）ユーザは前記インテリジェント端末のアプリケーションプログラムで、実行する必要があるケアプログラムを選択する；
３）ユーザが前記パーソナルケア機器を皮膚と接触させると、微弱電流が発生し、小顔機器の制御チップに送信される；
４）前記パーソナルケア機器の制御チップが制御信号をデータ伝送チップに送信することにより、前記アプリケーションプログラムは相応する前記ケアプログラムのケアマニュアルを開き、ユーザは前記マニュアルに従って前記パーソナルケア機器を操作し、前記ケアプログラムを完了する；
を含むことを特徴とする使用方法。
【請求項２】
前記ケアプログラムは、フェイスラインケア、ヘッドケア、ネックケア、二の腕ケア、バストケアおよびウエストケアを含むが、これに限定されないことを特徴とする、請求項１に記載のパーソナルケア機器の使用方法。
【請求項３】
前記ケアマニュアルが動画マニュアルであることを特徴とする、請求項１に記載のパーソナルケア機器の使用方法。
【請求項４】
制御チップ、微弱電流信号発生回路、電流検出抵抗器、データ伝送チップを含み；
前記電流検出抵抗器の一端は、前記微弱電流信号発生回路および前記制御チップの微弱電流検出ポートの間に接続されることを特徴とする、パーソナルケア機器の制御回路。
【請求項５】
前記微弱電流検出ポートが微弱電流の入力を検出したとき、前記制御チップは制御信号を前記データ伝送チップに送信し、これにより前記データ伝送チップがアプリケーションプログラムに信号を送信し、前記アプリケーションプログラムはケアマニュアルを開くことを特徴とする、請求項４に記載のパーソナルケア機器の制御回路。
【請求項６】
前記データ伝送チップはブルートゥース（登録商標）データ伝送チップであることを特徴とする、請求項４に記載のパーソナルケア機器の制御回路。
【請求項７】
前記アプリケーションプログラム中に前記ケアプログラム、メダルおよび称号、ウィーチャット共有機能モジュールを含むが、これに限定されないことを特徴とする、請求項５に記載のパーソナルケア機器の制御回路。
【請求項８】
前記ケアプログラムは、フェイスラインケア、ヘッドケア、ネックケア、二の腕ケア、バストケアおよびウエストケアを含むが、これに限定されず；各前記ケアプログラムに相応する前記ケアマニュアルが設けられることを特徴とする、請求項７に記載のパーソナルケア機器の制御回路。
【請求項９】
前記ケアマニュアルが動画マニュアルであることを特徴とする、請求項８に記載のパーソナルケア機器の制御回路。
【発明の詳細な説明】
【技術分野】
【０００１】
本発明は、パーソナルケア機器に関する。
【背景技術】
【０００２】
社会の発展、生活水準の向上に伴い、人々は衣食住および交通のみに関心を持つのではなく、おしゃれを好む心も古くから有し、これが人の本質である。現在、人の美意識および瓜実顔の流行により、大多数の人が小顔、細い顎を好んでいる。現在、小顔製品は比較的多く、スキンケア用品を使用し、微弱電流などを組み合わせた方法により、皮膚を刺激し、皮膚を引き締め、皮膚を運動させるなどする。
【０００３】
これらのケア機器にはいずれも直接見られるユーザマニュアルがないという問題が存在し、ユーザはたびたび随意に使用し、ケア機器の本当の効果が発揮されていない。
【発明の概要】
【発明が解決しようとする課題】
【０００４】
本発明が解決しようとする主な技術的問題は、パーソナルケア機器の使用方法を提供することであり、使用者がケアプログラムを行うとき、参考にすることができるマニュアルを有する。
【課題を解決するための手段】
【０００５】
上記技術的問題を解決するため、本発明はパーソナルケア機器の使用方法を提供しており、以下の工程を含む。
１）パーソナルケア機器と、インテリジェント端末の対応するアプリケーションプログラムとの間に無線接続を構築する。
２）ユーザはインテリジェント端末のアプリケーションプログラムで、実行する必要があるケアプログラムを選択する。
３）ユーザがパーソナルケア機器を皮膚と接触させると、微弱電流が発生し、小顔機器の制御チップに送信される。
４）パーソナルケア機器の制御チップが制御信号をデータ伝送チップに送信することにより、アプリケーションプログラムは相応するケアプログラムのケアマニュアルを開き、ユーザはマニュアルに従ってパーソナルケア機器を操作し、ケアプログラムを完了する。
【０００６】
好ましい実施例において、前記ケアプログラムはフェイスラインケア、ヘッドケア、ネックケア、二の腕ケア、バストケアおよびウエストケアを含むが、これに限定されない。
【０００７】
好ましい実施例において、前記ケアマニュアルは動画マニュアルである。
【０００８】
本発明は、パーソナルケア機器の制御回路をさらに提供しており、制御チップ、微弱電流信号発生回路、電流検出抵抗器、データ伝送チップを含む。前記電流検出抵抗器の一端は、微弱電流信号発生回路および制御チップの微弱電流検出ポートの間に接続される。
【０００９】
好ましい実施例において、前記微弱電流検出ポートが微弱電流の入力を検出したとき、前記制御チップは制御信号をデータ伝送チップに送信する。これによりデータ伝送チップがアプリケーションプログラムに信号を送信し、アプリケーションプログラムはケアマニュアルを開く。
【００１０】
好ましい実施例において、前記データ伝送チップはブルートゥース（登録商標）データ伝送チップである。
【００１１】
好ましい実施例において、前記アプリケーションプログラムにケアプログラム、メダルおよび称号、ウィーチャット共有機能モジュールを含むが、これに限定されない。
【００１２】
好ましい実施例において、前記ケアプログラムはフェイスラインケア、ヘッドケア、ネックケア、二の腕ケア、バストケアおよびウエストケアを含むが、これに限定されない。各ケアプログラムに相応するケアマニュアルが設けられる。
【００１３】
好ましい実施例において、前記ケアマニュアルは動画マニュアルである。
【発明の効果】
【００１４】
既存技術と比較して、本発明の技術案は以下の有益な効果を有する。
本発明が提供するパーソナルケア機器の使用方法は、パーソナルケア機器およびアプリケーションプログラムに無線接続を構築し、さらにはユーザがアプリケーションプログラムで、実行する必要があるケアプログラムを選択し、ケアマニュアルを生成することができる。ユーザがパーソナルケア機器を使用してケアを開始するとき、ケア機器が皮膚と接触して発生する微弱電流により、パーソナルケア機器は制御信号をアプリケーションプログラムに送信し、これによりケアマニュアルが自動的に再生される。このようにユーザはケア機器を使用するとき、マニュアルを直接見ることができる。これによりユーザの誤操作の発生を防止した。
【００１５】
本発明が提供するパーソナルケア機器の制御回路は、上記使用方法を実現するために、技術的基礎を提供している。
【図面の簡単な説明】
【００１６】
【図１】図１は、本考案の好ましい実施例におけるパーソナルケア機器の外観図である。
【図２】図２は、本考案の好ましい実施例におけるパーソナルケア機器の内部構造図である。
【図３】図３は、本考案の好ましい実施例におけるパーソナルケア機器の構造断面図である。
【図４】図４は、本考案の好ましい実施例におけるパーソナルケア機器の電流流れ図である。
【図５】図５は、本考案の好ましい実施例におけるパーソナルケア機器の回路図である。
【図６】図６は、本考案の好ましい実施例におけるパーソナルケア機器の使用フローチャートである。
【発明を実施するための形態】
【００１７】
本発明の技術案をより明確にするため、本発明について実施例および図を組み合わせてさらに詳細に説明する。
【００１８】
図１〜図３を参照されたい。本実施例における係る製品はパーソナルケア機器であり、１つの把持ハンドル１および２つのローラ２を有し、把持ハンドル１内に１つの電源３を有する。電源３は導体を介してローラ２およびハンドル筐体１１と接続され、ハンドル筐体１１は電源３の負極と接続され、ローラ２は電源３の正極と接続される。使用者が把持ハンドル１を握るのと同時に、２つのローラ２を人体の皮膚と接触させると、人体は導体であるため、このようにして電源３、ハンドル筐体１１、ローラ２および人体は１つの回路を構成し、発生する微弱電流は人体に刺激を与える。さらに２つのローラ２の皮膚に対する按摩および揉捏により、微弱電流による刺激および按摩ケアの共同の作用を実現し、人体に対してケアを行う作用を達成した。人体に対して安全な電流は１０ｍＡ以下であり、電流が５ｍＡ以下のとき、人体は電流に対して感覚を有さない。電流の強度が厚い表皮細胞を透過して真皮層に達することができることを保証するため、さらに電流の感覚の快適さを考慮すると、一般的な家庭用美容機器の範囲は０．４ｍＡを超えることはない。本機器は単一のリチウム電池１０４３０から電力供給され、電圧レギュレータの作用下で公称電圧３．７Ｖを保持し、電圧レギュレータは既存の成熟した技術である。回路中に１つの電流検出抵抗器Ｒ１４を直列接続し、抵抗は１０ＫΩであり、正常な人体の抵抗範囲は１．７ＫΩ≦Ｒ人≦１００ＫΩであるため、人体を流れる電流はＩ＜Ｕ／Ｒ＝３．７／１００００＝０．３７ｍＡであることを保証した。人体を流れる電流は０．３７ｍＡを超えず、すなわち電流の感覚の快適さを保証し、電流の安全性も保証した。この部分は既存技術に属し、本発明の保護の要点ではないため、簡単な説明のみ行う。
【００１９】
具体的に述べると、本実施例において、電源３の正極および負極はそれぞれ基板１２の正極接点および負極接点と接続され、ハンドル筐体１１はバネ１３を介して基板に接続され、ローラ２は導電ブロック１４、回転軸１５、導電片１６およびガスケット１７を介して基板に接続される。電源３、ハンドル筐体１１、ローラ２および人体が１つの回路を構成するとき、電流の流れは図４に示す通りである。さらに図５を参照されたい。本発明はパーソナルケア機器の制御１回路を提供しており、制御チップ、微弱電流信号発生回路、電流検出抵抗器Ｒ１４、データ伝送チップを含む。パーソナルケア機器が始動すると、制御チップはデータ伝送チップを介してインテリジェント端末の対応するアプリケーションプログラムとの間に無線接続を構築する。
【００２０】
前記電流検出抵抗器Ｒ１４の一端はアースであり、もう一端は微弱電流信号発生回路および制御チップの微弱電流検出ポートの間に接続される。したがって微弱電流が発生したとき、電流検出抵抗器Ｒ１４は微弱電流信号発生回路および制御チップの一端に接続されて電圧を発生させ、このとき制御チップは発生した電圧を検出することができる。このとき前記制御チップは制御信号をデータ伝送チップに送信し、制御信号はアナログ信号であり、これによりインテリジェント端末のケアマニュアルは再生を開始する。
【００２１】
本実施例において、前記データ伝送チップはブルートゥース（登録商標）データ伝送チップである。
【００２２】
前記アプリケーションプログラム中に、ケアプログラム、メダルおよび称号、ウィーチャット共有機能モジュールを含むが、これに限定されない。メダルおよび称号はユーザに毎日ログインする習慣を養わせるためであり、これにより毎日機器を使用してケアを行うことができ、機器の機能を最大限に発揮する。ウィーチャット共有機能により、ユーザはケアの成果を友達にシェアすることができ、これにより製品を広める目的を実現する。このうち最も重要なモジュールはケアプログラムであり、前記ケアプログラムはフェイスラインケア、ヘッドケア、ネックケア、二の腕ケア、バストケア、ウエストケアを含むが、これに限定されない。各ケアプログラムに相応するケアマニュアルが設けられる。したがって、ユーザがケアを行うとき、ケアマニュアルに従ってケアを行うことができ、ケア工程の完全さおよび正確さを確実に保証する。
【００２３】
ケアマニュアルのリアリティをさらに高めるため、前記ケアマニュアルは動画マニュアルである。
【００２４】
図６を参照されたい。パーソナルケア機器の使用方法は、以下の工程を含む。
１）パーソナルケア機器と、インテリジェント端末の対応するアプリケーションプログラムとの間に、無線接続を構築する。
２）ユーザはインテリジェント端末のアプリケーションプログラムで、実行する必要があるケアプログラムを選択する。
３）ユーザがパーソナルケア機器を皮膚と接触させると、微弱電流が発生し、小顔機器の制御チップに送信される。
４）パーソナルケア機器の制御チップが制御信号をデータ伝送チップに送信することにより、アプリケーションプログラムは相応するケアプログラムのケアマニュアルを開き、ユーザはマニュアルに従ってパーソナルケア機器を操作し、ケアプログラムを完了する。
【００２５】
上記パーソナルケア機器の使用方法は、パーソナルケア機器および皮膚の間に発生する微弱電流を検出することにより、ユーザがケアを行うとき、アプリケーションプログラムはマニュアルの再生を自動的に開始し、このようにしてユーザはケアの過程でマニュアルを直接見ることができる。これによりユーザの誤操作の発生を防止した。
【００２６】
本発明が提供するパーソナルケア機器の使用方法は、パーソナルケア機器が正常に微弱電流を発生させることができるかどうかを直接見て知ることもできる。パーソナルケア機器が皮膚に接触しても、ケアマニュアルが自動的に再生されない場合、パーソナルケア機器が故障したと判断することができる。
【００２７】
以上は本発明の好ましい実施例に過ぎない。しかし、本発明の範囲はこれに限定されず、当業者は本発明の開示の変更または技術範囲を容易に予想することができる。代替案は、本発明の範囲内に包含されることを旨とする。したがって、本発明の保護範囲は特許請求の範囲により確定するべきである。
【符号の説明】
【００２８】
１  把持ハンドル
１１  ハンドル筐体
１２  基板
１３  バネ
１４  導電ブロック
１５  回転軸
１６  導電片
１７  ガスケット
２  ローラ
３  電源
Ｒ１４  電流検出抵抗器
【図１】
2020146432.tif 000003
【図２】
2020146432.tif 000004
【図３】
2020146432.tif 000005
【図４】
2020146432.tif 000006
【図５】
2020146432.tif 000007
【図６】
2020146432.tif 000008